(57)【要約】【課題】写真自販機の管理情報を提供することにより管理業務の円滑化を図る。【解決手段】本発明に係る写真自販機Ｐによれば、管理サーバＳにおいて、ネットワークＮに接続された各写真自販機Ｐの売上・ステータス情報が取得されて統計処理が行われ、統計画像が作成されると共に、取得された情報からアラームが発生していると判断された場合に、アラーム画像、アラーム優先度及びアラーム表示条件が特定され、該当する写真自販機Ｐに送信される。広報データ格納部に広報データが記憶されている場合は、併せて送信される。写真自販機Ｐにおいては、管理サーバＳからのデータが受信され、表示優先度の最大の画像から表示装置に表示される。【選択図】  図１
2004310448.tif 000002
【特許請求の範囲】
【請求項１】
画像データを印刷して販売する画像印刷販売装置と、前記画像印刷販売装置を管理する情報管理装置とが通信ネットワークを介して接続された画像印刷販売装置管理システムであって、
前記情報管理装置は、前記画像印刷販売装置から売上情報及び稼動状態に関する情報を取得する情報取得手段と、
前記情報取得手段により取得された情報に基づいて、前記画像印刷販売装置の管理情報を特定する管理情報特定手段と、
前記管理情報特定手段により特定された管理情報を前記画像印刷販売装置に送信する管理情報送信手段と、
を備え、
前記画像印刷販売装置は、前記情報管理装置から送信された管理情報を出力する出力手段を備えたことを特徴とする画像印刷販売装置管理システム。
【請求項２】
前記管理情報特定手段は、前記情報取得手段により取得された情報に基づいて、前記画像印刷販売装置が警告を送信すべき所定状態であるか否かを判断し、警告を送信すべき所定状態である場合には、前記所定状態に応じて送信する管理情報を特定することを特徴とする請求項１に記載の画像印刷販売装置管理システム。
【請求項３】
前記管理情報特定手段は、前記画像印刷販売装置が警告を送信すべき複数の所定状態であると判断した場合に、各所定状態に応じた管理情報を特定するとともにその複数の所定状態の優先順位を特定し、
前記管理情報送信手段は、前記特定された管理情報及び優先順位を前記画像印刷販売装置に送信し、
前記出力手段は、前記情報管理装置から送信された管理情報及び優先順位に応じて出力を行うことを特徴とする請求項２に記載の画像印刷販売装置管理システム。
【請求項４】
前記管理情報特定手段は、前記情報取得手段により取得された情報に基づいて統計処理を行って前記画像印刷販売装置の売上管理情報を生成する管理情報生成手段を有し、
前記管理情報送信手段は、前記管理情報生成手段により生成された売上管理情報を前記画像印刷販売装置に送信することを特徴とする請求項１〜３の何れか一項に記載の画像印刷販売装置管理システム。
【請求項５】
前記画像印刷販売装置は、前記情報管理装置から送信された売上管理情報の印刷を指示する指示手段と、
前記指示手段による指示に応じて、画像を印刷するための用紙を用いて前記売上管理情報を印刷する管理情報印刷手段と、
を備えたことを特徴とする請求項４に記載の画像印刷販売装置管理システム。
【請求項６】
コンピュータに、
画像印刷販売装置の売上情報及び稼動状態に関する情報を取得する機能と、
前記取得された情報に基づいて、前記画像印刷販売装置の管理情報を特定する機能と、
前記特定された管理情報を出力する機能と、
を実現させるためのプログラム。
【発明の詳細な説明】
【０００１】
【発明の属する技術分野】
本発明は、画像データを印刷して販売する画像印刷販売装置を管理する画像印刷販売装置管理システム及びプログラムに関する。
【０００２】
【従来の技術】
近年、デジタルカメラ、携帯電話機等の画像記録装置により記録された画像データを手軽に写真印刷できるようにした画像印刷販売装置が知られている。この装置は、街角や建物内に配置され、画像を記録したメモリカード等の記録媒体から画像を読み込んで編集加工も可能とし、有料にて画像印刷するようにしたものである。また、画像記録装置からデータ通信ケーブルを介して、或いは通信回線を利用してサーバ経由で画像印刷販売装置に画像を取り込むこともできる。即ち、画像印刷販売装置においては、画像記録装置で記録された画像データを取り込み、表示装置に各種プリント指定情報の入力画面を表示し、表示された画面から印刷したい画像やプリントスタイル、枚数等が入力されると、入力された画像データを入力された指定情報に基づいて写真印刷する。
【０００３】
例えば、特許文献１には、所望する印刷対象画像の選択や印刷サイズの指定、画質指定を顧客所有の端末装置を利用して自宅等で行うことができる画像印刷販売装置が開示されている。
【０００４】
【特許文献１】
特開２００１−１４８０６８号公報
【０００５】
【発明が解決しようとする課題】
ところで、画像印刷販売装置は、写真のプリントに用紙やインクが必要であるから、それが無くなったら補充するという管理が必要である。従来の画像印刷販売装置は、例えば、紙切れ等のトラブルがあってプリントができなくなった場合、紙切れランプがつく等によりプリントできない旨を報知していた。即ち、障害発生後にその障害に関する情報を出力しており、障害発生の可能性が高くなっても、それを事前に管理者が知ることはできなかった。また、画像印刷販売装置においては、販売実績等を管理する必要があるが、販売実績に変化が現れても、その変化の情報を管理者に提供する機能はなく、更には、管理者が販売実績に関する資料を手軽に印刷して入手することはできなかった。
【０００６】
本発明の課題は、画像印刷販売装置の管理情報を提供することにより画像印刷販売装置の管理業務の円滑化を図ることである。
【０００７】
【課題を解決するための手段】
上記課題を解決するため、請求項１に記載の発明は、
画像データを印刷して販売する画像印刷販売装置と、前記画像印刷販売装置を管理する情報管理装置とが通信ネットワークを介して接続された画像印刷販売装置管理システムであって、
前記情報管理装置は、前記画像印刷販売装置から売上情報及び稼動状態に関する情報を取得する情報取得手段と、
前記情報取得手段により取得された情報に基づいて、前記画像印刷販売装置の管理情報を特定する管理情報特定手段と、
前記管理情報特定手段により特定された管理情報を前記画像印刷販売装置に送信する管理情報送信手段と、
を備え、
前記画像印刷販売装置は、前記情報管理装置から送信された管理情報を出力する出力手段を備えたことを特徴としている。
【０００８】
請求項６に記載の発明のプログラムは、
コンピュータに、
画像印刷販売装置の売上情報及び稼動状態に関する情報を取得する機能と、
前記取得された情報に基づいて、前記画像印刷販売装置の管理情報を特定する機能と、
前記特定された管理情報を出力する機能と、
を実現させるためのプログラムであることを特徴としている。
【０００９】
請求項１、６に記載の発明によれば、画像印刷販売装置の売上情報及び稼動状態に関する情報に基づいて、画像印刷販売装置の管理情報を特定して出力する。従って、画像印刷販売装置の売上情報及び稼動状態に応じた管理情報が提供されるので、管理者は画像印刷販売装置の管理業務の円滑化を図ることができる。
【００１０】
【発明の実施の形態】
以下、図を参照して本発明の実施の形態を詳細に説明する。
まず、構成を説明する。
図１に、本実施の形態における写真自販機管理システム１００の全体構成例を示す。図１に示すように、写真自販機管理システム１００は、写真自販機Ｐと写真自販機Ｐを管理する管理サーバＳとがネットワークＮを介して接続され、データの送受信が可能なように構成されている。各写真自販機Ｐには、それぞれを特定するための識別番号１〜ｎが付与されている。なお、写真自販機Ｐの台数は特に限定されない。
【００１１】
ネットワークＮは、専用線や既存の一般公衆回線を利用して構築された通信ネットワークであり、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等の様々な回線形態を適用することが可能である。ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。但し、情報管理の信頼性の観点から、特定のユーザのみがアクセス可能なセキュリティを確保しているネットワークであることが望ましい。各装置間は有線接続であっても無線接続であってもよい。
【００１２】
次に、写真自販機管理システム１００を構成する各装置について説明する。
まず、写真自販機Ｐについて説明する。
写真自販機Ｐは、例えば、写真店や街角等に設置され、デジタルカメラ、カメラ付き携帯電話機、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔｓ）等の画像データを記録した画像記録装置から通信ケーブルや記録媒体を介して入力された画像データのうち、指定された画像を指定されたスタイルで指定された枚数分写真プリントして出力する画像印刷販売装置である。
【００１３】
図２に写真自販機Ｐの機能的構成を示す。図２に示すように、写真自販機Ｐは、ＣＰＵ１０、入力装置１１、表示装置１２、ＲＡＭ１３、通信制御部１４、金銭授受装置１５、印刷装置１６、記録装置１７、記録媒体接続部１８等により構成され、各部はバス１９により接続されている。
【００１４】
ＣＰＵ（Ｃｅｎｔｒａｌ  Ｐｒｏｃｅｓｓｉｎｇ  Ｕｎｉｔ）１０は、記録装置１７に記憶されているシステムプログラムを読み出し、ＲＡＭ１３内に形成されたワークエリアに展開し、該システムプログラムに従って各部を制御する。また、ＣＰＵ１０は、記録装置１７に記憶されている画像表示処理プログラム、店舗個別データ・広報データ入力処理プログラム、統計画像表示処理プログラム、印刷処理プログラムを始めとする各種処理プログラムを読み出してワークメモリに展開し、後述する画像表示処理、店舗個別データ・広報データ入力処理、統計画像表示処理、印刷処理を始めとする各種処理を実行し、それらの処理結果をＲＡＭ１３のワークエリアに記憶する。そして、ワークエリアに格納した処理結果を記録装置１７内の指定の保存先に保存させる。
【００１５】
入力装置１１は、ＬＣＤ（Ｌｉｑｕｉｄ  Ｃｒｙｓｔａｌ  Ｄｉｓｐｌａｙ）等により構成され、ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号としてＣＰＵ１０に出力する。
【００１６】
表示装置１２は、ＬＣＤ等により構成され、ＣＰＵ１０から入力される表示信号の指示に従って、各種画面を表示する。
【００１７】
ＲＡＭ（Ｒａｎｄｏｍ  Ａｃｃｅｓｓ  Ｍｅｍｏｒｙ）１３は、ＣＰＵ１０により実行されるシステムプログラム、各種処理プログラム、各処理において処理中のデータ、処理結果などを一時的に記憶するワークエリアを形成する。また、ＲＡＭ１３は、図２に示すように、管理サーバＳから送信されたアラーム画像、アラーム優先度、アラーム表示条件、広報画像、広報画像優先度、広報表示条件を格納するアラーム・広報画像格納部１３１と、管理サーバＳから送信された統計画像を格納する統計画像格納部１３２と、を有する。
【００１８】
通信制御部１４は、は、モデム、ＬＡＮアダプタやルータやＴＡ（Ｔｅｒｍｉｎａｌ  Ａｄａｐｔｅｒ）等によって構成され、専用線、或いはＩＳＤＮ回線等の通信回線を介してネットワークＮに接続された管理サーバＳを始めとする各装置との通信制御を行う。また、通信ケーブルを介して外部の画像記録装置とデータ通信を行うためのケーブル接続部を備える。
【００１９】
金銭授受装置１５は、入力装置１１により指定されたプリントスタイルやプリント枚数に基づいて料金を算出する。また、金銭投入口から投入された金額や偽造を判定し、料金と投入金額に基づいて返金額を算出し、その返金額に相当するつり銭を金銭返却口から返却する。また、計算された料金、投入金額、返金額のデータをＣＰＵ１０に出力する。
【００２０】
印刷装置１６は、単数あるいは複数のプリンタを備え、通信制御部１４を介して、或いは記録媒体接続部１８を介して入力された画像データに応じて変調した光ビームで感光材料（印画紙、シール）を走査露光して潜像を記録し、露光済みの感光材料に湿式の現像処理や乾燥処理を施して、仕上がりプリントとして出力する。
【００２１】
記録装置１７は、写真自販機Ｐに対応するシステムプログラム、画像表示処理プログラム、店舗個別データ・広報データ入力処理プログラム、統計画像表示処理プログラム、印刷処理プログラムを始めとする各種処理プログラム、各種データ等が予め記憶されており、この記録装置１７は、磁気的、光学的記録媒体、若しくは半導体メモリなどＣＰＵ１０で読取り可能な記録媒体を含んだ構成である。この記録媒体はＣＤ−ＲＯＭ（Ｃｏｍｐａｃｔ  Ｄｉｓｃ  Ｒｅａｄ  Ｏｎｌｙ  Ｍｅｍｏｒｙ）、メモリカード等の可搬型の媒体やハードディスク等の固定的な媒体を含む。また、記録媒体に格納するプログラム、データ等の一部若しくは全部をサーバやクライアントからＷＡＮ、ＬＡＮなどのネットワークを介して受信する構成にしてもよく、更に、記録媒体はネットワーク上に構築されたサーバやクライアントの記録媒体であってもよい。
【００２２】
記録装置１７は、図２に示すように、画像ＩＤと画像データを対応付けて記憶する画像ＤＢ１７１を有している。
【００２３】
記録媒体接続部１８は、例えば、フラッシュメモリカード、スマートメディアカード、メモリースティック、フロッピー（登録商標）ディスク、ＳＤカード（Ｓｅｃｕｒｅ  Ｄｉｇｉｔａｌ  ｍｅｍｏｒｙ  ｃａｒｄ）、ＰＣカード、ＭＯ（ｍａｇｎｅｔｏ−ｏｐｔｉｃ）等の各種可搬型記録媒体とデータの入出力を行うためのインターフェースである。
【００２４】
次に、管理サーバＳについて説明する。
管理サーバＳは、ネットワークＮを介して接続された写真自販機Ｐの売上情報やステータス情報を取得し、取得した情報に基づいて管理情報としてのアラーム画像、統計画像を特定、生成し、画像化して写真自販機Ｐに送信することにより、写真自販機Ｐの管理業務を支援する情報管理装置である。ここで、売上情報とは少なくとも写真自販機Ｐの売上金額と売上枚数を含む情報であり、ステータス情報とは少なくとも写真自販機Ｐの各プリント用紙の残り枚数を含む、写真自販機Ｐの稼動状態に関する情報である。プリント用紙は、以下Ｌ版の用紙と２Ｌ版の用紙として説明するが、この２種類に限定されない。
【００２５】
図３に管理サーバＳの機能的構成を示す。図３に示すように、管理サーバＳは、ＣＰＵ２０、入力装置２１、表示装置２２、通信制御部２３、ＲＡＭ２４、記録装置２５等により構成され、各部はバス２６により接続されている。
【００２６】
ＣＰＵ２０は、記録装置２５に記憶されているシステムプログラムを読み出し、ＲＡＭ２４内に形成されたワークエリアに展開し、該システムプログラムに従って各部を制御する。また、ＣＰＵ２０は、記録装置２５に記憶されているデータ取得・表示画像決定処理プログラムを始めとする各種処理プログラムを読み出してワークメモリに展開し、後述するデータ取得・表示画像決定処理を始めとする各種処理を実行し、それらの処理結果をＲＡＭ２４のワークエリアに記憶する。そして、ワークエリアに格納した処理結果を記録装置２５内の指定の保存先に保存させる。
【００２７】
入力装置２１は、文字キー、数字キーの他、各種機能キーを備えたキーボードを含み、操作されたキーに対応する操作信号をＣＰＵ２０へ出力する。また、入力装置２１は、マウス、タッチパネル等のポインティングデバイスを備える。
【００２８】
表示装置２２は、ＣＲＴ（Ｃａｔｈｏｄｅ  Ｒａｙ  Ｔｕｂｅ）やＬＣＤ等によってなる表示画面を備え、ＣＰＵ２０から入力される表示信号の指示に従って画像情報を画面上に表示する。
【００２９】
通信制御部２３は、モデム、ＬＡＮアダプタやルータやＴＡ等によって構成され、専用線、或いはＩＳＤＮ回線等の通信回線を介してネットワークＮに接続された写真自販機Ｐを始めとする各装置との通信制御を行う。
【００３０】
ＲＡＭ２４は、ＣＰＵ２０により実行制御される各種処理において、記録装置２５から読み出されたプログラム、入力、若しくは出力データ及びパラメータ等の一時的な格納領域となる。また、ＲＡＭ２４は、図３に示すように、写真自販機Ｐから送信された売上・ステータス情報に基づいて生成されたグラフを一時的に格納するグラフ格納部２４１と、写真自販機Ｐから送信された売上・ステータス情報に基づいて生成された帳票を一時的に格納する帳票格納部２４２と、写真自販機Ｐで発生しているアラームに対するアラーム画像、アラーム優先度、アラーム画像表示条件を対応付けて一時的に格納する送信データ格納部２４３を有する。
【００３１】
記録装置２５は、管理サーバＳに対応するシステムプログラム、データ取得・表示画像決定処理プログラムを始めとする各種処理プログラム、各種データ等が予め記憶されており、この記録装置２５は、磁気的、光学的記録媒体、若しくは半導体メモリなどＣＰＵ１０で読取り可能な記録媒体を含んだ構成である。この記録媒体はＣＤ−ＲＯＭ、メモリカード等の可搬型の媒体やハードディスク等の固定的な媒体を含む。また、記録媒体に格納するプログラム、データ等の一部若しくは全部をサーバやクライアントからＷＡＮ、ＬＡＮなどのネットワークを介して受信する構成にしてもよく、更に、記録媒体はネットワーク上に構築されたサーバやクライアントの記録媒体であってもよい。
【００３２】
記録装置２５は、図３に示すように、売上・ステータスＤＢ（ｄａｔａ  ｂａｓｅ）２５１、広報・アラーム優先度テーブル２５２を格納している。また、広報データ格納部２５３、店舗個別データ格納部２５４を有している。
【００３３】
図４に、売上・ステータスＤＢ（ｄａｔａ  ｂａｓｅ）２５１のデータ格納例を示す。図４に示すように、売上・ステータスＤＢ２５１は、日付を格納する日付領域と、写真自販機Ｐの識別番号を格納する写真自販機番号領域と、Ｌ版のプリント用紙における印刷売上枚数を格納するＬ売上枚数領域と、Ｌ版のプリント用紙の在庫枚数を格納するＬ在庫枚数領域と、Ｌ版のプリント用紙における印刷売上金額を格納するＬ売上金額領域と、２Ｌ版のプリント用紙における印刷売上枚数を格納する２Ｌ売上枚数領域と、２Ｌ版のプリント用紙の在庫枚数を格納する２Ｌ在庫枚数領域と、２Ｌ版のプリント用紙における印刷売上金額を格納する２Ｌ売上金額領域と、Ｌ版のプリント用紙における先月までの１日あたりの平均印刷売上枚数を格納するＬ平均枚数領域と、２Ｌ版のプリント用紙における先月までの１日あたりの平均印刷売上枚数を格納する２Ｌ平均枚数領域と、を有している。
【００３４】
図５に、広報・アラーム優先度テーブル２５２のデータ格納例を示す。図５に示すように、広報・アラーム優先度テーブル２５２は、写真自販機Ｐの識別番号を格納する写真自販機番号領域と、広報・アラームに対応する画像データを格納する画像データ領域と、その優先度を格納する優先度領域と、その表示条件（例えば、表示可能な時間帯）を格納する表示条件領域と、を有している。なお、表示条件が空欄の場合は、直ちに表示可能であることを示している。
【００３５】
広報データ格納部２５３は、写真自販機Ｐから送信された広報画像と、その優先度、表示条件を写真自販機Ｐの識別番号と対応付けて格納する。店舗個別データ格納部２５４は、写真自販機Ｐから送信された店舗識別データを写真自販機Ｐの識別番号と対応付けて格納する。
【００３６】
次に、本実施の形態の動作を説明する。
図６に、管理サーバＳのＣＰＵ２０により実行されるデータ取得・表示画像決定処理を示す。本処理は、所定時間毎、例えば、１時間毎に割り込み処理される処理である。
【００３７】
まず、ポインタｉが初期化されて１が格納される（ステップＳ１）。次いで、通信制御部２３を介してｉ番の写真自販機Ｐに接続され（ステップＳ２）、ｉ番の写真自販機Ｐに売上・ステータス情報の要求が送信され、ｉ番の写真自販機Ｐから送信される売上・ステータス情報が取得される（ステップＳ３）。売上情報は、例えばプリント用紙毎の売上枚数、売上金額であり、ステータス情報は、例えば、プリント用紙毎の在庫枚数等である。取得された売上・ステータス情報に基づいて売上・ステータスＤＢ２５１が更新される（ステップＳ４）。そして、データ集計・統計処理が実行される（ステップＳ５）。
【００３８】
図７に、管理サーバＳのＣＰＵ２０により実行されるデータ集計・統計処理を示す。
まず、売上・ステータスＤＢに格納された売上情報に基づいて、統計処理が行われて売上管理情報としてのグラフが作成され、グラフ格納部２４１に格納される（ステップＳ１０１）。グラフは、例えば、図１３（ａ）に示す今週の各曜日の売上推移を示す棒グラフ等である。次いで、売上・ステータス情報ＤＢ２５１に格納された売上情報に基づいて、統計処理が行われて売上管理情報としての帳票が作成され、帳票格納部２４２に格納される（ステップＳ１０２）。帳票とは、例えば、図１３（ｂ）に示す当月の売上枚数を日付毎、プリント用紙毎に集計した表等である。続いて、当該写真自販機Ｐｉの、プリント用紙毎の売上枚数平均が算出されて売上・ステータスＤＢ２５１が更新されて（ステップＳ１０３）、処理は図６のステップＳ６に移行する。
【００３９】
図６のステップＳ６において、ポインタＸが初期化されて１が格納され、取得された売上情報及びステータス情報に基づいて、ｉ番の写真自販機ＰにＸ番のアラームが発生しているか否かが判断される（ステップＳ７）。ここで、アラームとは、例えば、売上低下、紙切れ間近、紙なし等、写真自販機Ｐ側に警告しなければならない所定状態のことをいう。紙切れ間近のアラームが発生したか否かは、各写真自販機Ｐｉで使用される各プリント用紙の１日の平均印刷枚数の２倍の枚数を在庫枚数が下回った場合に、アラームが発生したと判断される。１日の平均印刷枚数は、例えば、前日までの１日の平均枚数を算出したものである。Ｘ番のアラームが発生している場合（ステップＳ７；ＹＥＳ）、広報・アラーム優先度テーブル２５２を参照することによりそのアラームの優先度、アラーム画像又は画像ＩＤ、表示条件（表示時刻等）が特定され、ＲＡＭ２４の送信データ格納部２４３にそれぞれを対応付けて格納される（ステップＳ８）。
【００４０】
ステップＳ８終了後、ポインタＸの値が全アラーム数以上であるか否かが判断され、全アラーム数に満たなければ（ステップＳ９；ＮＯ）、ポインタＸがインクリメントされ（ステップＳ１０）、処理はステップＳ７に戻り、ステップＳ７〜Ｓ９が繰り返し実行される。ポインタＸが全アラーム数以上である場合は、処理はステップＳ１１に移行し、通信制御部２３によりＲＡＭ２４のグラフ格納部２４１、帳票格納部２４２に格納されている統計画像（グラフ、帳票）、送信データ格納部２４３に格納されているアラーム画像、アラーム優先度、アラーム表示条件が、また、広報データ格納部２５３に当該写真自販機Ｐｉに対する広報データが格納されている場合は広報画像、広報優先度、広報表示条件が併せてｉ番の写真自販機Ｐに送信される（ステップ１１）。
【００４１】
送信後、ＲＡＭ２４のグラフ格納部２４１、帳票格納部２４２、送信データ格納部２４３がクリアされ、広報データ格納部２５３の送信された広報データが削除され（ステップＳ１２）、ポインタｉがインクリメントされる（ステップＳ１３）。ポインタｉの値が、管理サーバＳが管理している写真自販機数を超えたか否かが判断され、超えない場合は（ステップＳ１４；ＮＯ）、処理はステップＳ２に戻り、ステップＳ２〜Ｓ１４が繰り返し実行される。ポインタｉの値が、管理サーバＳが管理している写真自販機数を超えた場合は（ステップＳ１４；ＹＥＳ）、本処理は終了する。
【００４２】
図８に、写真自販機ＰのＣＰＵ１０により実行される画像表示処理を示す。なお、本処理は、所定時間毎、例えば１時間ごとに割り込み処理される処理である。
【００４３】
通信制御部１４により、管理サーバＳからのデータが受信されると（ステップＳ２１）、受信データが種類別にＲＡＭ１３に格納される（ステップＳ２２）。アラーム画像、アラーム優先度、アラーム表示条件、広報画像、広報優先度、広報表示条件はアラーム・広報画像格納部１３１へ、統計画像は統計画像格納部１３２へ格納される。
【００４４】
次いで、アラーム・広報画像格納部１３１が参照され、表示条件が満たされている画像があるか否かが判断される（ステップＳ２３）。表示条件が満たされている画像がない場合は、表示装置１２により通常画面（待ち受け画面等）が表示される（ステップＳ２４）。表示条件が満たされている画像がある場合には（ステップＳ２３；ＹＥＳ）、表示条件が満たされている画像の中から表示優先度が最大の画像（或いは画像ＩＤ）が特定され（ステップＳ２５）、画像ＩＤが特定された場合には記録装置１７の画像ＤＢ１７１から対応する画像が取得される（ステップＳ２６）。特定された或いは取得された画像がマークである場合には（ステップＳ２７；ＹＥＳ）表示装置１２に通常画面が表示され、マーク表示領域にマークが表示される（ステップＳ２８）。マークではない場合には（ステップＳ２７；ＮＯ）、受信された画像が全画面に表示される（ステップＳ２９）。
【００４５】
画像表示後、所定時間が経過すると（ステップＳ３０；ＹＥＳ）、表示条件が満たされた画像があるか否かが判断され、表示条件が満たされた画像がある場合には（ステップＳ３１；ＹＥＳ）、処理はステップＳ２５に移行し、表示条件が満たされた画像のうち、表示優先度が最大の画像についてステップＳ２５〜３０が繰り返し実行される。他に表示条件が満たされた画像がある間、画像の表示優先度順にステップＳ２５〜３１は繰り返し実行され、表示条件が満たされた画像がなくなった場合には（ステップＳ３１；ＮＯ）、本処理は終了する。
【００４６】
図９（ａ）（ｂ）に、アラーム画像の一例を示す。図９（ａ）は、アラーム画像がマークではない場合の例を示しており、表示画面全体に紙無しを警告するアラーム画像が表示されている。図９（ｂ）はアラーム画像がマークである場合の例を示しており、通常画面のマーク表示領域に、紙切れ間近のマークが表示されている。
【００４７】
図１０に広報画像の一例を示す。図１０に示すように、故障中の表示とともに、「本日１５時修理予定です。しばらくお待ち下さい」等、広報すべき事項が表示されている。この広報画像は、写真自販機Ｐの管理者が顧客に伝えたい情報を表示するものである。広報画像は、図１０に示すように各写真自販機Ｐで個別のものでもよいし、管理サーバＳに管理されている全写真自販機Ｐで共通のものでもよい。
【００４８】
図１１に、写真自販機ＰのＣＰＵ１０により実行される店舗個別データ・広報データ入力処理を示す。本処理は、入力装置１１により店舗個別データ・広報データ入力モードへの切替が指示された際に実行される。店舗個別データは、例えば、店舗の休業日等であり、データ集計・統計処理等で用いられる。広報データは、写真自販機Ｐの管理者が顧客に伝えたい情報であり、広報画像、広報画像優先度、広報表示条件からなる。
【００４９】
表示装置１２にユーザ名、パスワードの入力画面が表示され、ユーザ名、パスワードが入力されると、入力管理モードが起動される（ステップＳ４１）。入力装置１１により店舗個別データ又は／及び広報画像、広報画像優先度、広報表示条件が入力されると（ステップＳ４２）、通信制御部１４により管理サーバＳに送信される（ステップＳ４３）。ここで、広報画像優先度としては、広報画像間における優先度の他、アラーム画像より優先度が高いか低いかを示す情報が入力される。管理サーバＳにおいては、店舗個別データは記録装置２５の店舗個別データ格納部２５４に、広報画像、広報画像優先度、広報表示条件は、互いに対応付けて広報データ格納部２５３に格納される。また、写真自販機Ｐｉからの広報画像優先度に応じて優先度が再編成され、広報・アラーム優先度テーブル２５２が更新される。各格納部に格納されたデータは、データ取得・表示画像決定処理の際に利用される。
【００５０】
ところで、統計画像は、通常、営業時に表示すべきタイミングではなく、また、誰にでも見せていい情報ではないので、許可された管理者が見たい時に表示させる機能が必要である。そこで、写真自販機Ｐは、統計画像を表示するための統計画像表示モードを有する。
【００５１】
図１２に、写真自販機ＰのＣＰＵ１０により実行される統計画像表示処理を示す。本処理は、入力装置１１により統計画像表示モードへの切替が指示された際に実行される処理である。
【００５２】
表示装置１２にユーザ名、パスワードの入力画面が表示され、ユーザ名、パスワードが入力されると、表示管理モードが起動される（ステップＳ５１）。すると、統計画像格納部１３２から統計画像が読み出され、表示装置１２に表示される（ステップＳ５２）。画面上から印刷する統計画像が選択され、印刷開始が指示されると（ステップＳ５３）、印刷装置１６により、選択された統計画像が２Ｌ版のプリント用紙で印刷される（ステップＳ５４）。
【００５３】
図１３（ａ）（ｂ）に、統計画像の例を示す。図１３（ａ）は、今週の各曜日の売上推移を示す棒グラフである。図１３（ｂ）は、当月の売上枚数を日付毎、用紙サイズ毎に集計した帳票である。
【００５４】
図１４に、写真自販機ＰのＣＰＵ１０により実行される印刷処理を示す。
通信ケーブルを介して或いは記録媒体接続部１８に接続された記録媒体より画像ファイルが読み込まれると（ステップＳ６１）、表示装置１２にイメージ及びプリントスタイル（フォーマット、用紙サイズ、枚数等）を選択するための選択ボタンが表示される（ステップＳ６２）。プリントスタイルが選択されると（ステップＳ６３）、表示装置１２に料金投入指示画面が表示され（ステップＳ６４）、金銭授受装置１５により料金投入が確認されることなく（ステップＳ６５；ＮＯ）、入力装置１１により中止が指示されると（ステップ６６；ＹＥＳ）、本処理は終了する。
【００５５】
金銭授受装置１５により料金投入が確認されると（ステップＳ６５；ＹＥＳ）、印刷装置１６により、取り込まれた画像ファイル及び選択されたプリントスタイルに基づいてプリントが行われ（ステップＳ６７）、用紙別の売上データが更新され（ステップＳ６８）、用紙別の在庫データが更新される（ステップＳ６９）。
【００５６】
印刷処理により更新される売上データ、用紙在庫データは、管理サーバＳからの売上・ステータス情報の要求に基づいて送信される。
【００５７】
以上説明したように、写真自販機管理システム１００によれば、管理サーバＳにおいて、ネットワークＮに接続された各写真自販機Ｐの売上・ステータス情報が取得されて統計処理が行われ、統計画像が作成されると共に、取得された情報からアラームが発生していると判断された場合に、アラーム画像、アラーム優先度及びアラーム表示条件が特定され、該当する写真自販機Ｐに送信される。広報データ格納部に広報データが記憶されている場合は、併せて送信される。写真自販機Ｐにおいては、管理サーバＳからのデータが受信され、表示優先度の最大の画像から表示装置１２に表示される。また、写真自販機Ｐにおいて、入力装置１１により統計画像が選択され印刷が指示されると、選択された統計画像が２Ｌ版のプリント用紙で印刷される。
【００５８】
従って、写真自販機Ｐにおける売上や稼動状態に応じた管理情報が出力されるので、写真自販機Ｐの管理者は、管理業務を円滑に行うことができるようになる。特に、写真自販機Ｐがアラームを発生すべき状態である場合、その状態によりアラームの優先度を特定し、優先度に応じて出力するので、管理者は緊急を要することから対処していくことができるようになる。また、管理サーバＳは写真自販機Ｐの売上を管理しているので、統計処理を行って売上管理情報としての統計画像（グラフ、帳票）を写真自販機Ｐに送信することにより、写真自販機Ｐにおいて各種統計を表示することができる。管理サーバＳは複数の写真自販機Ｐの売上情報を管理しているので、統計処理は、各写真自販機Ｐ単体の統計だけでなく、他の写真自販機Ｐと合計した売上や他の写真自販機Ｐとの売上の比較等を行うことができる。また、写真自販機Ｐにおいて、この売上管理情報を、画像を印刷する印刷装置により２Ｌ版のプリント用紙に印刷することができるので、売上管理情報を印刷するために印刷装置を別途設ける必要がなく、また、売上管理情報を印刷するための専用の用紙を設ける必要もない。そのため、保守作業の手間やコストをかけることなく、見やすい用紙で容易に売上管理情報を印刷することができる。
【００５９】
なお、上記実施の形態における記述内容は、本実施の形態における好適な一例であり、これに限定されるものではない。
例えば、ステータス情報はインク残量を含み、平均印刷枚数とインク残量からインク切れ間近か否かを判断し、インク切れ間近の場合にアラームを発生するようにしてもよい。
【００６０】
また、管理サーバＳが店舗個別データ、広報データの入力するためのＷｅｂサイトを有し、ＰＣ（Ｐｅｒｓｏｎａｌ  Ｃｏｍｐｕｔｅｒ）等の情報端末装置からユーザ名、パスワードを入力して管理サーバＳのＷｅｂサイトにログインして店舗個別データ、広報データを入力するようにしてもよい。このようにすれば、営業時間帯であっても、店舗個別データ、広報データの入力を行うことができる。また、広報データとして使用状態にない場合に広告データや予め設定された画像データを出力するようにしてもよい。
【００６１】
また、写真自販機Ｐにおいて売上情報を画像データで生成して印刷装置１６においてプリント用紙に印刷するようにしてもよい。
【００６２】
また、天気予報、グルメ情報等の画像を管理サーバＳから送信するようにし、写真自販機Ｐのユーザが適宜表示して閲覧し、有料でプリントできるようにすると、新規の情報サービスの提供が容易にできる。
【００６３】
また、上記実施の形態においては、管理サーバＳと写真自販機ＰをネットワークＮで接続し、管理サーバＳが複数の写真自販機Ｐ１〜ｎの売上及び稼動状態を管理する構成としたが、管理サーバＳにおける売上及び稼動状態を管理する機能を各写真自販機Ｐ１〜ｎに搭載するようにしてもよい。
【００６４】
その他、写真自販機Ｐ及び管理サーバＳの細部構成及び細部動作に関しても、本発明の趣旨を逸脱することのない範囲で適宜変更可能である。
【００６５】
【発明の効果】
本発明によれば、画像印刷販売装置の管理情報を提供することにより画像印刷販売装置の管理業務の円滑化を図ることができる。
【図面の簡単な説明】
【図１】本発明の一実施の形態における全体構成を示す図である。
【図２】図１の写真自販機Ｐの機能的構成を示すブロック図である。
【図３】図１の管理サーバＳの機能的構成を示すブロック図である。
【図４】図３の売上・ステータスＤＢ（ｄａｔａ  ｂａｓｅ）２５１のデータ格納例を示す図である。
【図５】図３の広報・アラーム優先度テーブル２５２のデータ格納例を示す図である。
【図６】図３のＣＰＵ２０により実行されるデータ取得・表示画像決定処理を示すフローチャートである。
【図７】図３のＣＰＵ２０により実行されるデータ集計・統計処理を示すフローチャートである。
【図８】図２のＣＰＵ１０により実行される画像表示処理を示すフローチャートである。
【図９】図２の表示装置１２に表示されるアラーム画像の例を示す図である。
【図１０】図２の表示装置１２に表示される広報画像の例を示す図である。
【図１１】図２のＣＰＵ１０により実行される店舗個別データ・広報データ入力処理を示すフローチャートである。
【図１２】図２のＣＰＵ１０により実行される統計画像表示処理を示すフローチャートである。
【図１３】図２の表示装置１２に表示される統計画像の例を示す図である。
【図１４】図２のＣＰＵ１０により実行される印刷処理を示すフローチャートである。
【符号の説明】
１００    写真自販機管理システム
Ｐ    写真自販機
Ｓ    管理サーバ
Ｎ    ネットワーク
１０    ＣＰＵ
１１    入力装置
１２    表示装置
１３    ＲＡＭ
１３１    アラーム・広報画像格納部
１３２    統計画像格納部
１４    通信制御部
１５    金銭授受装置
１６    印刷装置
１７    記録装置
１７１    画像ＤＢ
１８    記録媒体接続部
１９    バス
２０    ＣＰＵ
２１    入力装置
２２    表示装置
２３    通信制御部
２４    ＲＡＭ
２４１    グラフ格納部
２４２    帳票格納部
２４３    送信データ格納部
２５    記録装置
２５１    売上・ステータスＤＢ
２５２    広報・アラーム優先度テーブル
２５３    広報データ格納部
２５４    店舗個別データ格納部
２６    バス
【図１】
2004310448.tif 000003
【図２】
2004310448.tif 000004
【図３】
2004310448.tif 000005
【図４】
2004310448.tif 000006
【図５】
2004310448.tif 000007
【図６】
2004310448.tif 000008
【図７】
2004310448.tif 000009
【図８】
2004310448.tif 000010
【図９】
2004310448.tif 000011
【図１０】
2004310448.tif 000012
【図１１】
2004310448.tif 000013
【図１２】
2004310448.tif 000014
【図１３】
2004310448.tif 000015
【図１４】
2004310448.tif 000016